(57)【特許請求の範囲】
【請求項１】
ディーゼルエンジンにおいて使用する燃料に、油溶性または分散性の金属塩添加剤と油溶性窒素含有無灰分清浄剤添加剤との組み合わせを添加することを特徴とする粒状排気放出物用のトラップを備えたディーゼルエンジンの運転を改良する方法であって、金属塩添加剤及び無灰分清浄剤添加剤が、1〜25 ppmの金属と10〜500 ppmの清浄剤添加剤を与えるような量で燃料中に存在し、かつ前記添加剤の組み合わせを含有する燃料を前記トラップを備えたディーゼルエンジンにおいて使用したときの逆圧蓄積の低減によって観察されるように、ディーゼル排気粒状物トラップの操作を改善するのに相乗的に有効である、該方法。
【請求項２】
上記金属が、アルカリ金属；アルカリ土類金属；第IVB族、第VIIB族、第VIII族、第IB族または第IIB金属；希土類金属；またはこれら金属の幾つかの混合物である請求の範囲第1項記載の方法。
【請求項３】
上記金属塩が、スルホン酸塩、サリチル酸塩またはナフテン酸塩である請求の範囲第1項または第2項記載の方法。
【請求項４】
上記無灰分清浄剤がポリイソブテニルスクシンイミドであり、そのポリイソブテニルは400〜2500のMnを有する請求の範囲第1項〜第3項のいずれか1項記載の方法。
【請求項５】
10〜200 ppmの上記無灰分清浄剤が存在する請求の範囲第1項〜第4項のいずれか1項記載の方法。
【請求項６】
上記金属がカルシウム、鉄またはセリウムである請求の範囲第1項〜第5項のいずれか1項記載の方法。
【請求項７】
ディーゼル排気粒状物トラップの操作を改善するための、ディーゼルタイプ圧縮点火エンジンにおいて使用するのに適する沸点範囲および粘度を有する燃料における、油溶性または分散性の金属塩添加剤と油溶性窒素含有無灰分清浄剤添加剤との組み合わせの使用であって、金属塩添加剤及び無灰分清浄剤添加剤が、1〜25 ppmの金属と10〜500 ppmの清浄剤添加剤を与えるような量で燃料中に存在し、かつ前記添加剤の組み合わせを含有する燃料を前記トラップを備えたディーゼルエンジンにおいて使用したときの逆圧蓄積の低減によって観察されるように、ディーゼル排気粒状物トラップの操作を改善するのに相乗的に有効である、該使用。
【発明の詳細な説明】
【０００１】
（技術分野）
本発明は、新規な燃料添加剤組成物に関する。さらに詳細には、本発明は、ディーゼル燃料の燃焼からの放出物の性質を改善するのに高度に有効であると判明した金属塩-無灰分清浄剤添加剤混合物に関する。これらの添加剤は、とりわけディーゼルエンジンの排気系において使用する粒状物トラップ類の性能を改善するのにとりわけ有用である。
【０００２】
（背景技術）
排気流中に取付けられて排気中の粒状物を“捕捉”即ち捕集してこれら粒状物の大気への放出を防止するための粒状物トラップを備えたディーゼルエンジンは、次の数年内に、より多くの使用が期待されている。
粒状物トラップ無しで作動するディーゼルエンジンは、未燃焼炭化水素(HC)類、一酸化炭素(CO)、窒素酸化物(NOx)類および粒状物を放出し、これらの放出物は、すべて現行のまたは提案された規制を受ける。これら汚染物の制御問題は、粒状物と窒素酸化物類間でのかね合いが存在するので、複雑である：低窒素酸化物放出を得るように燃焼条件を改変させると、粒状物は増大する。粒状物トラップは、粒状物放出の重度を軽減するために使用する。
現在、ディーゼルトラップと窒素酸化物類を使用する装置とのような組合せ技術は、現実に即した空気清浄目的に合致するように求められているようである。この粒状物低減方式は、タイミング変更および排気ガス再循環のようなNOx低減において利用できる技術が粒状物とのかね合いを必要とするので、必要であろう。NOx、未燃焼炭化水素および一酸化炭素の低放出を合理的な時間に亘って粒状物を制御しながら達成させるということは、技術的挑戦を提供し続けている。
【０００３】
ディーゼル粒状物、その作用および制御は、相当な懸念ごとおよび論争の集中点である。その化学的、環境的インパクトは、複雑な問題を提供している。一般に、ディーゼル粒状物質は、主として、吸着された炭化水素、硫酸塩および水性種を伴う炭素および金属化合物の固形粒子である。吸着種の中には、アルデヒド類および多環式芳香族炭化水素類が存在する。これら有機物の幾つかは、潜在的な発癌物質または変異誘発物質であることが報告されている。未燃焼炭化水素類は、特徴的なディーゼル臭に関連しており、ホルムアルデヒドおよびアクロレインのようなアルデヒド類を含む。ナノ粒子制御の必要性は、トラップ使用の要求に至っているようである。
残念なことに、トラップの設計またはサイズを改変することによって単純に粒状物の回収を増大させた場合、トラップ内の逆圧蓄積速度が増大し、燃料消費量の増大および貧弱な駆動性をもたらす。さらにまた、各種汚染物の制御は、1つの汚染物を低減させることが時には他の汚染物を増大させることに相関しているようである。燃焼率を向上させ、より完全な酸化を達成することによって、不完全燃焼に由来する汚染物の低減は達成できるが、NOxはこれらの条件下では典型的に増大する。
ディーゼルトラップ(触媒型または非触媒型であれ)が、とりわけNOxを制御するための努力がなされている場合の粒状物制御のために必要であることは明白である。
【０００４】
ディーゼルトラップ類の使用およびこれらトラップ改良の必要性は、多大な研究、並びに多数の特許および技術刊行物をもたらしている。トラップ類は、金属またはセラミックから典型的に構築され、排気からの粒状物を捕集し且つ炭素質付着物(一定の間隔で焼払わなければならない)の酸化によって生ずる熱に耐え得るものである。
この焼払い、即ち、再生は、トラップの操作温度が十分に高い場合には、それ自体で生じ得る。しかしながら、典型的な状況においては、排気温度は十分に一定して高くなく、トラップ温度を電気的に加熱する或いはその洗浄コート(washcoat)上で触媒を使用して粒状物の燃焼温度を下げるような二次的手段も完全には成功していない。
ディーゼルエンジン粒状物トラップの操作を改善するための有機金属塩および複合体の使用は、例えば、1994年9月6日発行の米国特許第5,344,467号に開示されており、この米国特許は、有機金属複合体と酸化防止剤の併用を教示している。この有機金属複合体は、ディーゼル燃料に可溶性または分散性であり、炭化水素鎖に結合させた少なくとも2個の官能基を含有する有機化合物から誘導されている。
【０００５】
1999年7月22日に公開されたWO99/36488号は、少なくとも1種の鉄含有燃料可溶性または燃料分散性種を少なくとも1種のアルカリ土類金属含有燃料可溶性または燃料分散性種との相乗的組合せにおいて含有する燃料添加剤組成物を開示している。この金属添加剤の組合せは、ディーゼル粒状物フィルタートラップの操作を改善すると説明している。
また、本発明の要旨は、1990年8月7日に発行された米国特許第4,946,609号に関連しており、この米国特許は、ディーゼルエンジンにおいて使用する潤滑油用の添加剤としてのフェロセン、フェロセン誘導体および有機酸の鉄塩のような鉄化合物の使用を開示している。潤滑油中の鉄化合物の存在がディーゼル粒子フィルターの再生を容易にすると教示している。
1994年5月26日に公開されたWO94/11467号は、トラップからの未燃焼炭化水素類および一酸化炭素の放出を低減させるのに十分な量の白金族金属の燃料-可溶性組成物を含む燃料添加剤の使用によるディーゼルトラップ操作の改良方法を開示している。白金族金属は、白金、パラジウム、ロジウムまたはイリジウムを含む。
【０００６】
（発明の開示）
本発明は、油溶性金属塩添加剤と窒素含有無灰分清浄剤との新規な添加剤混合物が、ディーゼルエンジン粒状物トラップの操作を改善するのに、燃料中で安定な添加剤系であり相乗的に有効であるという発見に基づく。
本発明によれば、ディーゼル燃料中で1〜25 ppm(質量)の金属と10〜500 ppmの分散剤添加剤を与えるような量でディーゼル燃料中に存在する金属油溶性または分散性塩添加剤と窒素含有油溶性無灰分清浄剤添加剤との組み合わせを含む、粒状物トラップを備えたディーゼルエンジンにおいて使用するディーゼル燃料油用の添加剤組成物を見出した。好ましくは、燃料中で、約5〜10 ppmの金属のような約2〜10 ppmの金属を与えるような金属塩添加剤と約10〜25 ppm、10〜50 ppm、50〜200 ppmまたは10〜200 ppmの無灰分清浄剤(活性成分基準)のような10〜250 ppmの上記無灰分清浄剤添加剤を使用する。
適切な溶媒中の本発明の添加剤組成物の安定な溶液または分散液は、本発明のさらなる実施態様を構成する。そのような添加剤濃度は、上記金属塩と無灰分清浄剤の組合せである活性物質を20〜80%含有する。これらの活性物質は、燃料中に1〜25 ppmの金属と10〜500 ppmの無灰分清浄剤を与えるような量で溶媒中存在する。そのような溶液または分散液、とりわけ鉄またはカリウムを含有する溶液または分散液は、広い温度範囲に亘って安定なままである。
【０００７】
上記安定な添加剤溶液または分散液を調製するのに使用する溶媒は、通常液状の石油、合成炭化水素、酸素化炭化水素、またはヘキサノール、2-エチルヘキサノールもしくはイソデシルアルコール溶媒のようなアルコール溶媒として一般に特徴付け得る。典型的な例としては、灯油、水素処理灯油、イソパラフィンおよびパラフィン系溶媒、ナフテン系脂肪族炭化水素溶媒、芳香族溶媒、ダイマー類およびより高級なオリゴマー類、またはプロピレン、ブテンおよび同様なオレフィン類、並びにこれらの混合物がある。“ソルベッソ(Solvesso)”、“バルソール(Varsol)”、“ノルパール(Norpar)”および“イソパール(Isopar)”のような市販製品が適している。そのような溶媒は、炭素および水素以外の官能基も、そのような基が本発明の添加剤組成物の性能に悪影響を及ぼさない限り含有し得る。好ましいのは、イソパラフィン系およびパラフィン系炭化水素溶媒である。溶媒は、好ましくは20℃よりも高い、より好ましくは40℃よりも高い、最も好ましくは55℃よりも高い引火点を有する。
広範囲の金属類が、本発明における添加剤として有用な上記金属塩を形成させるのに適している。金属は、アルカリ金属、好ましくはNa；Ca、MgまたはSrのようなアルカリ土類金属；第IVB族金属、とりわけTiまたはZr；Mnのような第VIIB族金属；第VIII族金属、とりわけFe；第IB族金属、とりわけCu；Znのような第IIB族；原子番号57〜71を有する任意の希土類金属(ランタナイド系金属類)、とりわけセリウム；またはこれら金属の任意の混合物であり得る。最も好ましい金属は鉄である。
【０００８】
上記組み合わせた添加剤系が、トラップ内に蓄積する粒状物の発火温度を低下させることによって、ディーゼル排気粒状物トラップの操作を高度に改良することを見出しており、この改良は、上記金属塩分散剤混合物を含有する燃料をディーゼルエンジンにおいて使用したときの逆圧蓄積の低減に注目することによって観察される。本発明に従って観察される上記の改良は、上記分散剤のみを含有し上記金属塩を含有しないディーゼル燃料が粒状物トラップの操作を改良せず、実際に、添加剤を含有しない同じ燃料において観察されるときの高い逆圧蓄積を生じていることから、とりわけ驚くべきことである。同様に、上記金属塩添加剤のみを含有し、上記無灰分清浄剤を含有しないディーゼル燃料は、ディーゼル粒状物トラップの性能に大きな改善を与えない。
本発明の1つの実施態様においては、本発明の添加剤混合物は、ディーゼル燃料と、直接の添加によりまたは他の添加剤を含む濃縮物の1部として混合し、そのディーゼル燃料を使用して排気系粒状物トラップを備えたディーゼルエンジンを操作する。上記添加剤を含有するディーゼル燃料を燃料タンクに収容し、ディーゼルエンジンに移行させて燃焼させ、上記添加剤により、排気系粒状物トラップ内に捕集された排気粒子の発火温度を低下させる。もう1つの実施態様においては、上記の操作手順を使用するが、本発明の添加剤混合物を、ディーゼル燃料から離れた別の燃料添加剤ディスペンサー内のディーゼルエンジン(例えば、自動車、バス、トラック等)によって駆動される装置のボード上に維持する。この添加剤は、ディーゼル燃料タンクの再充填中にディーゼル燃料と混合またはブレンドする。典型的には、この添加剤は、炭化水素溶媒中の溶液の形で分配する。この後者の実施態様においては、本発明の添加剤は、燃料添加剤ディスペンサー内に維持して、ディーゼル燃料と混合する濃縮物の燃料添加剤濃縮物の1部を形成し得る。他の方法は、本発明の添加剤混合物を吸気または排気マニホールド中に添加すること、または本発明の添加剤をディーゼル駆動車両のタンクを充填する前の燃料貯留器において燃料に添加することを含む。また、上記金属塩を、すでに上記無灰分清浄剤が存在する燃料に添加してもよい。しかしながら、本発明の燃料組成物の実施態様は、上記金属塩がオクタデカン酸セリウムまたは他のセリウムC8〜C22脂肪酸カルボキシレートのような1種以上のセリウム脂肪酸カルボキシレートと50%以上の酸化セリウムとからなる混合物である燃料組成物には、そのような混合物を無灰分清浄剤との添加剤混合物の1部として燃料に添加したものでない限り、及ばない。
【０００９】
本発明において有用な金属塩添加剤のカテゴリーは、長鎖疎水性尾部を有する極性頭部を含むものであり、その極性頭部は酸有機化合物の金属塩を含む。これらの塩は、実質的に化学量論の金属を含み得、正塩または中性塩として通常説明され、0〜80の総塩基価(TBN) (ASTM D-2896によって測定し得る)を典型的に有する。過剰の酸化物または水酸化物のような金属化合物を二酸化炭素のような酸ガスと反応させることによって大量の金属塩基を含ませることも可能である。得られる過塩基化塩は、中和塩を金属塩基(例えば炭酸塩)ミセルの外層として含む。そのような過塩基化塩は、150以上のTBN、典型的には、350〜450 TBN範囲のような250〜600のTBNを有し得る。本発明において有用な全ての金属の過塩基化は、金属酸化物の使用により行い得る。
上記金属塩は、化学量論比の金属カチオン対カルボキシレートアニオンを含有する点で中性であり得る。また、上記金属塩は、酸性または過塩基性であり得る。酸性塩は化学量論比とみなされるよりも過剰のカルボン酸/カルボン酸塩を含有し、過塩基性塩は化学量論比よりも過剰の金属種を含有する。この過剰の金属は、酸化物、水酸化物または混合酸化性塩のような単独形または組合せ形で存在し得る。格子様多核金属複合体も存在し得る。
過塩基化塩においては、過剰の金属を、意図的にまたは意図しないで、主反応過程において導入することができ、或いは、主反応の後に、後処理により導入することも可能である。元素状金属、酸化物および水酸化物が、過塩基化過程における一般的な供給源である。
【００１０】
使用し得る金属塩としては、金属、とりわけ、鉄、セリウム；アルカリおよびアルカリ土類金属、例えば、ナトリウム、カリウム、リチウム、カルシウムおよびマグネシウムの油溶性または油分散性の中性および過塩基性スルホン酸塩類、フェナート類、硫化フェナート類、チオホスホン酸塩類、サリチル酸塩類およびナフテン酸塩類；並びに他の油溶性カルボン酸塩類がある。最も普通に使用する金属類は、鉄、セリウム、カルシウムおよびマグネシウム、並びにカルシウムおよび/またはマグネシウムのナトリウムとの混合物である。とりわけ好都合な金属塩類は、20〜600 TBNのTBNを有する中性および過塩基性スルホン酸カルシウム、50〜600のTBNを有する中性および過塩基性のカルシウムフェナートおよび硫化フェナート類、並びにネオデカン酸鉄およびナフテン酸鉄である。スルホン酸塩、サリチル酸塩およびナフテン酸塩類が好ましい。金属塩類は、酸性でもあり得る、即ち、1〜20質量％の遊離酸のような20％までの未反応遊離酸を含有し得る。
上記金属塩化合物の有機成分は、好ましくは、少なくとも1個のヒドロカルビル基を、例えば、芳香環上の置換基として含有する。本明細書において使用するときの用語“ヒドロカルビル”は、当該基が水素および炭素原子から主としてなり、分子の残余に炭素原子を介して結合していることを意味するが、その基の実質的炭化水素特性を逸脱するには不十分な割合での他の元素または基の存在を除外するものではない。有利には、本発明に従って使用するヒドロカルビル基は、線状または枝分れであり得る脂肪族基、好ましくはアルキルまたはアルキレン基、とりわけアルキル基である。上記清浄剤中の総炭素原子数は、少なくとも所望の油溶性を与えるに十分であるべきである。
【００１１】
本発明の金属塩において使用するフェノール類は、硫化しなくてもよく、或いは、好ましくは硫化し得る。さらに、本明細書において使用するときの用語“フェノール”は、2個以上のヒドロキシル基(例えば、アルキルカテコール類)または縮合芳香環(例えば、アルキルナフトール類)を含有するフェノール類；化学反応によって変性したフェノール類、例えば、アルキレン橋掛け型フェノールおよびマンニッヒ塩基縮合フェノール類；並びにサリゲニンタイプフェノール類(フェノールとアルデヒドの塩基性条件下での反応により生成させた)を含む。
好ましいフェノールは、下記の式から誘導し得る：
【化２】
0004447232.tif 000002
式中、Rはヒドロカルビル基を示し、yは1〜4を示す。yが１よりも大である場合、そのヒドロカルビル基は、同一または異なるものであり得る。
これらのフェノール類は、しばしば、硫化形で使用される。硫化ヒドロカルビルフェノール類は、下記の式によって典型的に示し得る：
【化３】
0004447232.tif 000003
式中、xは、一般に1〜4である。ある場合には、2個よりも多いフェノール分子をSxブリッジによって結合させ得る。
上記各式において、Rで示されるヒドロカルビル基は、有利には5〜100個、好ましくは5〜40個、とりわけ9〜12個の炭素原子を有するアルキル基であり、R基全体における平均炭素原子数は、適切な油中での溶解性を確保するために少なくとも9個である。好ましいアルキル基は、ノニル(トリプロピレン)基である。
【００１２】
以下の説明においては、ヒドロカルビル置換フェノール類は、便宜上、アルキルフェノールとして説明する。
硫化フェノールまたはフェナートを調製するのに使用する硫化剤は、アルキルフェノールモノマー基間に -(S)x-ブリッジ基を導入する任意の化合物または元素であり得、xは一般に1〜4である。即ち、反応は、元素状イオウ、またはそのハライド、例えば、二塩化イオウ、好ましくは一塩化イオウによって行い得る。元素状イオウを使用する場合には、硫化反応は、アルキルフェノール化合物を50〜250℃、好ましくは少なくとも100℃で加熱することによって実施できる。元素状イオウの使用は、上述したような-(S)x-ブリッジ基の混合物を典型的に与える。ハロゲン化イオウを使用する場合には、硫化反応は、アルキルフェノール化合物を−10〜120℃、好ましくは少なくとも60℃で処理することによって実施できる。反応は、適切な希釈剤の存在下において実施できる。その希釈剤は、有利には、実質的に不活性な有機希釈剤、例えば、鉱油またはアルカンを含む。いずれにしろ、反応は、実質的な反応を行うのに十分な時間で実施する。一般的には、当量の硫化剤当り0.1〜5モルのアルキルフェノール物質を使用するのが好ましい。
元素状イオウを硫化剤として使用する場合、塩基性触媒、例えば、水酸化ナトリウムまたは有機アミン、好ましくは複素環アミン(例えば、モルホリン)を使用することが望ましい。
硫化方法の詳細は、当業者にとって周知である。
【００１３】
製造する方法にかかわらず、過塩基性金属化合物を調製するのに有用な硫化アルキルフェノール類は、希釈剤および未反応アルキルフェノール類を一般に含み、硫化アルキルフェノールの質量基準で一般に2〜20質量％、好ましくは4〜14質量％、最も好ましくは6〜12質量％のイオウを含有する。
上述したように、本明細書において使用するときの用語“フェノール”は、例えばアルデヒドとの化学反応によって変性したフェノール類およびマンニッヒ塩基縮合フェノール類も含む。
フェノール類を変性し得るアルデヒド類としては、例えば、ホルムアルデヒド、プロピオンアルデヒドおよびブチルアルデヒドがある。好ましいアルデヒドはホルムアルデヒドである。使用するのに適するアルデヒド変性フェノール類は、例えば、米国特許第5,259,967号に記載されている。
マンニッヒ塩基縮合フェノール類は、フェノール、アルデヒドおよびアミンの反応により調製する。適切なマンニッヒ塩基縮合フェノール類の例は、GB-A-2,121,432号に記載されている。
一般に、フェノール類は、上述した置換基以外の置換基を、そのような置換基がフェノール類の界面活性剤特性を有意に低下させない限り含み得る。そのような置換基の例は、メトキシ基およびハロゲン原子である。
【００１４】
本発明のサリチル酸塩において使用するサリチル酸は、硫化させなくても硫化させてもよく、化学的に変性でき、および/または、例えば、フェノールについて上述したようなさらなるの置換基を含有し得る。上述したのと同様な方法が、ヒドロカルビル置換サリチル酸の硫化においても使用でき、当業者にとって周知である。サリチル酸は、フェノキシド類のコルベ-シュミット(Kolbe-Schmitt)法によるカルボキシル化によって典型的に調製され、この場合、カルボキシル化されていないフェノールとの混合物で一般に得られる(通常、希釈剤中で)。
本発明に従う過塩基化清浄剤を誘導することのできる油溶性サリチル酸における好ましい置換基は、上記フェノールの説明におけるRによって示される置換基である。アルキル置換サリチル酸においては、そのアルキル基は、有利には5〜100個、好ましくは9〜30個、とりわけ14〜20個の炭素原子を含有する。
【００１５】
本発明の金属スルホン酸塩において使用するスルホン酸は、ヒドロカルビル置換、とりわけアルキル置換芳香族炭化水素類、例えば、蒸留および/または抽出による石油の分別によって或いは芳香族炭化水素のアルキル化によって得られる炭化水素類のスルホン化によって典型的に得られる。例としては、ベンゼン、トルエン、キシレン、ナフタレン、ビフェニル、またはこれらのハロゲン誘導体、例えば、クロロベンゼン、クロロトルエンもしくはクロロナフタレンをアルキル化することによって得られる炭化水素類である。芳香族炭化水素類のアルキル化は、触媒の存在下に、例えば、ハロパラフィン類；パラフィン類の脱水素化によって得ることのできるオレフィン類；およびポリオレフィン類、例えば、エチレン、プロピレンおよび/またはブテンのポリマー類のような3〜100個以上の炭素原子を有するアルキル化剤によって実施できる。これらのアルキルアリールスルホン酸は、7〜100個以上の炭素原子を通常含有する。これらのスルホン酸は、取得するための原料にもよるが、好ましくは、アルキル置換芳香族成分当り16〜80個或いは12〜40個の炭素原子を含有する。
これらのアルキルアリールスルホン酸を中和してスルホン酸塩を調製する場合、炭化水素溶媒および/または希釈剤オイル、並びに促進剤および粘度調節剤も反応混合物中に含ませ得る。
本発明に従って使用できるも１つのタイプのスルホン酸は、アルキルフェノールスルホン酸を含む。そのようなスルホン酸は、硫化させ得る。硫化させても硫化させなくても、これらのスルホン酸は、フェノール類の界面活性剤特性に匹敵する界面活性剤特性よりはむしろスルホン酸類の界面活性剤特性に匹敵する界面活性剤特性を有するものと信じている。
本発明に従って使用するのに適するスルホン酸は、アルケニルスルホン酸のようなアルキルスルホン酸も含む。そのような化合物においては、そのアルキル基は、適切には9〜100個、有利には12〜80個、とりわけ16〜60個の炭素原子を含有する。
【００１６】
本発明に従って使用し得るカルボン酸は、モノ-およびジカルボン酸類を含む。好ましいモノカルボン酸は、1〜30個、とりわけ8〜24個の炭素原子を含有するモノカルボン酸である。(本明細書がカルボン酸中の炭素原子数に触れる場合、カルボキシル基内の炭素原子もその数に含ませる)。モノカルボン酸の例は、イソオクタン酸、ステアリン酸、オレイン酸、パルミチン酸およびベヘン酸である。他の例は、タル油(toll oil)脂肪酸、大豆酸およびナタネ油から誘導された酸である。イソオクタン酸は、必要に応じて、ExxonMobil Chemical社から商品名“Cekanoic”として市販されているC8酸異性体混合物の形で使用し得る。他の適切な酸は、α-炭素原子での第3級置換を有する酸類およびカルボキシル基を別にして2個よりも多い炭素原子を有するジカルボン酸である。さらに、35個よりも多い、例えば、36〜100個の炭素原子を有するジカルボン酸も適している。不飽和カルボン酸は硫化させ得る。サリチル酸類はカルボキシル基を含有するけれども、本発明の目的においては、界面活性剤の別の群であるとみなし、カルボン酸界面活性剤とはみなさない。(サリチル酸は、ヒドロキシル基を含有するけれども、フェノール界面活性剤ともみなさない)。
他の酸類は、C36ダイマー酸のような脂肪酸を二量化することによって形成させた酸類、およびC12〜C24無水コハク酸加水分解生成物またはポリアルケニル-無水マレイン酸反応生成物から誘導された酸類である。
【００１７】
本発明に従う金属塩添加剤を調製するのに使用できる他の化合物の例としては、次の化合物およびそれらの誘導体がある：ナフテン酸類、とりわけ1個以上のアルキル基を含有するナフテン酸類；ジアルキルホスホン酸類、ジアルキルチオホスホン酸、およびジアルキルジチオホスホン酸類；高分子量(好ましくはエトキシ化)アルコール類；ジチオカルバミド酸類；チオホスフィン類；および分散剤類がある。これらのタイプの界面活性剤は、当業者にとって周知である。ヒドロカルビル置換カルボキシルアルキレン結合フェノールタイプの界面活性剤類、アルキレン基がヒドロキシ基およびさらなるカルボン酸基で置換されているアルキレンジカルボン酸のジヒドロカルビルエステル類、または芳香族成分が少なくとも1個のヒドロカルビル置換フェノールと少なくとも1個のカルボキシフェノールを含むアルキレン結合ポリ芳香族分子も、本発明における使用に適している；そのような界面活性剤類は、EP-A-708,171号に記載されている。
本発明において有用な金属塩類のさらなる例は、例えばEP-A-271,262号に記載されているようなステアリン酸のようなカルボン酸によって変性されている必要に応じて硫化されたアルカリ土類金属ヒドロカルビルフェナート類、およびEP-A-750, 659号に記載されているようなフェノラート類である。
【００１８】
また、2個以上の異なる界面活性剤基を過塩基化過程中に導入させたハイブリッド物質を製造することによって得ることのできるフェノール、スルホン酸、カルボン酸、サリチル酸およびナフテン酸のような少なくとも2個の界面活性剤基を含有する過塩基化金属化合物、好ましくは過塩基化カルシウム塩も、本発明における使用に適している。
ハイブリッド物質の例は、界面活性剤類フェノールとスルホン酸の過塩基化カルシウム塩；界面活性剤類フェノールとカルボン酸の過塩基化カルシウム塩；界面活性剤類フェノール、スルホン酸およびサリチル酸の過塩基化カルシウム塩；および界面活性剤類フェノールとサリチル酸の過塩基化カルシウム塩である。
“界面活性剤類の過塩基化カルシウム塩”とは、上記油溶性金属塩の金属カチオンが本質的にカルシウムカチオンである過塩基化塩を意味する。少量の他のカチオンも上記油溶性金属塩中に存在し得るが、上記油溶性金属塩中の典型的には少なくとも80モル%、より典型的には少なくとも90モル%、例えば少なくとも95モル%のカチオンはカルシウムイオンである。カルシウム以外のカチオンは、例えば、そのカチオンがカルシウム以外の金属である界面活性剤塩の過塩基化清浄剤の製造における使用から誘導し得る。好ましくは、上記界面活性剤の金属塩もカルシウムである。
上記過塩基化金属塩のTBNは、好ましくは少なくとも350、より好ましくは少なくとも400、最も好ましくは500までのような400〜600の範囲のような少なくとも330である。
【００１９】
少なくとも2つの過塩基化金属化合物が存在する場合、任意の適切な質量割合を使用でき、任意の1つの過塩基化金属化合物対任意の他の過塩基化金属化合物の質量対質量割合は、好ましくは90：10〜10：90のような5：95〜95：5、より好ましくは20：80〜80：20、とりわけ70：30〜30：70、有利には60：40〜40：60の範囲である。
ハイブリッド物質の特定の例は、例えば、WO-A-97/46643号、WO-A-97/46644号、WO- A-97/46645号、WO-A-97/46646号およびWO-A-97/46647号に記載されている物質である。
本明細書において使用するとき、用語“ヒドロカルビル”は、分子の残余に直接結合した炭素原子を有し且つ炭化水素または主として炭化水素特性を有する基を称する。例としては、脂肪族基(例えば、アルキルまたはアルケニル)、脂環式基(例えば、シクロアルキルまたはシクロアルケニル)、芳香族基および脂環式置換芳香族基、並びに芳香族置換の脂肪族基および脂環式基のような炭化水素基がある。脂肪族基は、有利には飽和型である。これらの基は、非炭化水素置換基を含有し得るが、それらの基がヒドロカルビル基の主たる炭化水素特性を変化させないことを条件とする。例としては、ケト、ハロ、ヒドロキシ、ニトロ、シアノ、アルコキシおよびアシルがある。ヒドロカルビル基を置換する場合、1個(モノ)の置換基が好ましい。
【００２０】
好ましいのは、下記の式の酸化合物から誘導された金属塩類、とりわけ鉄またはセリウム塩または複合体である：
【化４】
0004447232.tif 000004
（式中、R1、R2、R3およびR4は、水素または1〜30個の炭素原子(C1〜C30)を有するヒドロカルビルであるが、R1、R2、R3またはR4の少なくとも2個はC1〜C30ヒドロカルビルであり；R5は、1〜120個の炭素原子を有するヒドロカルビルであり；mおよびnは、各々、零または上記カルボキシレート中の総炭素原子数が125を越えないような整数であり得る）。
上記の式は、鎖長中に少なくとも1〜30個の炭素原子を有する側鎖を少なくとも2個有するカルボン酸を表すことを意図しており、好ましくは、R1とR2の双方は、上記カルボキシレートがネオカルボキシレート、即ち、4個の他の炭素原子に結合したカルボニル炭素に対してアルファである炭素原子を有するようなヒドロカルビルである。用語ヒドロカルビルは、主として炭素と水素からなり、必要に応じて酸素または窒素で置換された芳香族または脂肪族基、好ましくは、脂肪族、とりわけ直鎖または枝分れ鎖のアルキルまたは置換アルキル(置換基が窒素または酸素である)に当てはまることを意図している。最も好ましくは、上記カルボキシレートは、ネオデカン酸塩である。
R5成分の適切な例は、エチレン、プロピレン、1-ブテン、イソブテン、ブタジエン、イソプレン、1-ヘキセン、1-オクテン等のような2〜10個の炭素原子を有するモノ-およびジ-オレフィン類のホモ-またはインターポリマー(例えば、コポリマー、ターポリマー)から形成されたヒドロカルビル基である。典型的には、これらのオレフィン類は、1-モノオレフィン類である。このヒドロカルビルは、そのようなホモ-またはインターポリマー類のハロゲン化(例えば、塩素化または臭素化)アナログ類から或いはポリエーテル類からも誘導し得る。
【００２１】
上記ヒドロカルビルは、主として飽和型である。上記ヒドロカルビルは、本質的に主として脂肪族、即ち、6個以下の炭素原子を有する非脂肪族成分(シクロアルキル、シクロアルケニルまたは芳香族)基を置換基中の10個の炭素原子毎に1個しか含有しない。しかしながら、通常、上記ヒドロカルビルは、50個の炭素原子毎にそのような非脂肪族基を1個しか含有せず、多くの場合、置換基はそのような非脂肪族基を全く含有しない；即ち、典型的な置換基は、純粋に脂肪族である。典型的には、これらの純粋脂肪族ヒドロカルビルは、アルキルまたはアルケニル基である。
R5成分の好ましい源は、35〜75質量％のブテン分と30〜60質量％のイソブテン分を含むC4製油所流の三塩化アルミニウムまたは三フッ化ホウ素のようなルイス酸触媒の存在下での重合によって得られるポリ(イソブテン)類である。これらのポリブテン類は、形状 -C(CH3)2CH2-のモノマー繰返し単位を主として含有する。
鉄ネオカルボキシレート塩が好ましい。この鉄塩は、Fe+2もしくはFe+3塩、またはこれらの混合物であり得る。この鉄塩は、第1鉄または第2鉄酸化物も含有し得、これらはネオカルボン酸鉄塩を調製するのに使用した方法に由来し、酸化鉄が存在する場合、その塩は、過塩基性であるとみなし得る。
上記カルボン酸の金属塩または複合体は、酸性でもあり得る、即ち、本発明の金属カルボキシレートまたは金属複合体添加剤塩組成物は、1〜20質量％の遊離酸、より好ましくは0〜10質量％、最も好ましくは0〜5質量％の遊離酸のような約20質量％までの未反応遊離酸を含有し得る。
上記カルボン酸の金属カルボキシレートまたは複合体は、前述したように過塩基性または中性であり得るが、好ましくは中性である。
本発明のさらなる実施態様においては、上記金属塩は、油溶性または油分散性フェロセン誘導体、とりわけ2,2-ビスフェロセニルアルカンであり得る。そのような物質は、好ましくは、2個のフェロセニル残基間でアルカンブリッジされており、そのアルカンは1〜8個の炭素原子を含み、4個のシクロペンタジエニル環が、それぞれ個々に、1〜4個の炭素原子を含む少なくとも1個のアルキル基を置換基として担持している。
【００２２】
1つの群の窒素含有無灰分清浄剤は、カルボン酸アシル化剤を少なくとも1個の-NH-基を含有する少なくとも1種のアミン化合物と反応させることによって調製し、上記アシル化剤がイミド、アミド、アミジンまたはアシロキシアンモニウム結合によって上記アミノ化合物に結合しており、ヒドロカルビル単位対アミン単位の比が1：1〜2.5：1、好ましくは1.2：1〜1.5：1であるような好ましくは少なくとも10個の脂肪族炭素原子を含むヒドロカルビル置換基を有するアシル化窒素化合物を含む。
もう1つの群の窒素含有無灰分清浄剤は、“ポリアルキレンアミン”類を含む。これらのアミン類は、250より高い分子量単位を有するポリアルキレン類から誘導され、ポリアルキレン類自体は、好ましくはC2〜C10アルケン類、より好ましくはブテンおよび/またはイソブテンから誘導される。これらのアミン類は、アンモニア、アミン類、ポリアミン類、アルキルアミン類またはアルカノールアミン類を上記のポリマーにおよび/または上記ポリマー間に結合させることによって調製する。種々の方法を使用してこの調製を達成でき、例えば、塩素化、ヒドロホルミル化、エポキシ化およびオゾン分解による経路が当該技術において公知である。典型的な例は、これも当該技術において周知であるが、ポリイソブテンモノアミン(“PIBA”)およびポリイソブテン-エチレンジアミン(“PIB-EDA”)である。さらなる例は、EP 244616号およびWO 98/28346号に記載されている。ヒドロカルビル単位対アミン単位の比は、1：1〜2.5：1、好ましくは1.2：1〜1.5：1である。少なくとも10個の炭素原子を含むヒドロカルビル置換基を有し、カルボン酸アシル化剤、例えば、無水物またはエステルをアミノ化合物と反応させることによって調製した多くのアシル化窒素含有化合物が、当業者にとって公知である。そのような化合物においては、アシル化剤は、イミド、アミド、アミジンまたはアシロキシアンモニウム結合によりアミノ化合物に結合している。10個の炭素原子を有するヒドロカルビル置換基が、カルボン酸アシル化剤から誘導された分子部分またはアミノ化合物から誘導された部分のいずれかにおいて、或いは両方において見出され得る。しかしながら、好ましくは、この置換基は、アシル化剤部分において見出される。アシル化剤は、ギ酸およびそのアシル化誘導体から50個、100個または200個までの炭素原子を有する高分子量ヒドロカルビル置換基をアシル化剤に亘って変化し得る。上記アミノ化合物は、アンモニア自体から約30個までの炭素原子を含むヒドロカルビル置換基を有するアミン類に亘って変化し得る。
【００２３】
好ましい群のアシル化アミノ化合物は、少なくとも10個の炭素原子を含むヒドロカルビル置換基を有するアシル化剤と少なくとも1個の-NH-基の存在に特徴を有する窒素化合物を反応させることによって調製した化合物である。典型的には、アシル化剤は、置換コハク酸またはプロピオン酸のようなモノ-またはポリカルボン酸(またはその反応性等価物)であり、アミノ化合物は、ポリアミンまたはポリアミン混合物、最も典型的にはエチレンポリアミン類の混合物である。また、アミンは、ヒドロキシルアルキル置換ポリアミンでもあり得る。そのようなアシル化剤中のヒドロカルビル置換基は、好ましくは、均して少なくとも約30個または50個、約400個までの炭素原子を有する。
少なくとも10個の炭素原子を含有するヒドロカルビル置換基の例は、n-デシル、n-ドデシル、テトラプロペニル、n-オクタデシル、オレイル、クロロオクタデシル、トリイコンタニル等である。一般に、ヒドロカルビル置換基は、エチレン、プロピレン、1-ブテン、イソブテン、ブタジエン、イソプレン、1-ヘキセン、1-オクテン等のような2〜10個の炭素原子を有するモノ-およびジ-オレフィン類のホモ-またはインターポリマー(例えば、コポリマー、ターポリマー)から形成される。典型的には、これらのオレフィン類は、1-モノオレフィン類である。この置換基は、そのようなホモ-またはインターポリマー類のハロゲン化(例えば、塩素化または臭素化)アナログ類からも誘導し得る。
【００２４】
上記ヒドロカルビル置換基は、主として飽和型である。また、上記ヒドロカルビル置換基は、本質的に主として脂肪族であり、即ち、6個以下の炭素原子を有する非脂肪族成分(シクロアルキル、シクロアルケニルまたは芳香族)基を置換基中の10個の炭素原子毎に1個しか含有しない。しかしながら、通常、上記置換基は、50個の炭素原子毎にそのような非脂肪族基を1個しか含有せず、多くの場合、これらの置換基はそのような非脂肪族基を全く含有しない；即ち、典型的な置換基は、純粋に脂肪族である。典型的には、これらの純粋脂肪族置換基は、アルキルまたはアルケニル基である。
上記置換基の好ましい源は、35〜75質量％のブテン分と30〜60質量％のイソブテン分を含むC4製油所流の三塩化アルミニウムまたは三フッ化ホウ素のようなルイス酸触媒の存在下での重合によって得られるポリ(イソブテン)類である。これらのポリブテン類は、形状 -C(CH3)2CH2-のモノマー繰返し単位を主として含有する。
上記ヒドロカルビル置換基は、コハク酸成分またはその誘導体に、通常の手段、例えば、例えばEP-B-0 451 380号に記載されているような、無水マレイン酸とポリアルケンのような不飽和置換プレカーサーとの反応によって結合させる。
【００２５】
上記置換コハク酸系アシル化剤を調製するための1つの手順は、上記ポリアルケンを、ポリアルケンの各分子に対して平均で少なくとも約1個のクロロ基が存在するまで先ず塩素化することを含む。塩素化は、所望量の塩素が塩素化されるポリアルケンに導入されるまで、ポリアルケンを塩素ガスに単に接触させることを含む。塩素化は、一般に、約75℃〜約125℃の温度で実施する。所望ならば、希釈剤を塩素化手順において使用できる。この目的に適する希釈剤としては、ポリ-および予備塩素化および/またはフッ素化アルカン類およびベンゼン類がある。
上記手順の第2段階は、上記の塩素化ポリアルケンをマレイン酸系反応物と通常約100℃〜約200℃の範囲内の温度で反応させることである。塩素化ポリアルケン対マレイン酸系反応物のモル比は、通常約1：1である。しかしながら、化学量論的に過剰のマレイン酸系反応物、例えば、1：2のモル比を使用することもできる。ポリアルケンの分子当り平均で約1個よりも多いクロロ基を塩素化工程において導入させた場合には、1モルよりも多いマレイン酸系反応物を塩素化ポリアルケンの分子当りで反応させ得る。通常、過剰のマレイン酸系反応物を使用することが望ましい；例えば、約5質量％〜約50質量％、例えば、25質量％過剰。未反応の過剰マレイン酸系反応物は、反応生成物から、通常真空下にストリッピングさせ得る。
【００２６】
置換コハク酸アシル化剤を調製するためのもう1つの手順は、米国特許第3,912,764号および英国特許第1,440,219号に記載されている方法を使用する。この方法によれば、ポリアルケンとマレイン酸系反応物を、これらを直接アルキル化手順において一緒に加熱することによって先ず反応させる。この直接アルキル化工程を終えたとき、塩素を反応混合物中に導入して残りの未反応マレイン酸系反応物の反応を促進させる。上記の各特許によれば、0.3〜2モル以上の無水マレイン酸をポリアルケンの各モル当りで反応に使用している。この直接アルキル化工程は、180℃〜250℃の温度で実施する。塩素導入工程においては、160℃〜225℃の温度を使用する。
ヒドロカルビル置換基のコハク酸成分への結合は、別法として、塩素の不存在下に、加熱推進‘エン’反応によっても達成することができる。アシル化剤(i)におけるそのような物質の使用は、特定の利点を有する生成物をもたらす；例えば、優れた清浄特性と潤滑特性を有する無塩素生成物。そのような生成物においては、反応物(i)は、好ましくは、少なくとも30%、好ましくは75%のような50%以上の残留末端形不飽和、例えば、ビニリデン二重結合を有するポリアルケンから調製する。
本発明において適するポリアミン類は、アルキレンブリッジによって結合したアミノ窒素を含み、そのアミノ窒素が本質的に第1級、第2級および/または第3級であり得るポリアミン類である。これらのポリアミン類は、アミノ基すべてが第1級または第2級基であるような直鎖状であり得、或いは環状もしくは枝分れ領域またはその両方を含有し得、この場合、第3級アミノ基も存在し得る。アルキレン基は、好ましくは、エチレンまたはプロピレン基であり、エチレンが好ましい。そのような物質は、エチレンジアミンのような低級アルキレンジアミン類の重合(ポリアミン混合物が得られる)により、或いはジクロロエタンとアンモニアとの反応により調製することができる。
【００２７】
ポリアルキレンポリアミン類(1)の特定の例は、エチレンジアミン、テトラ(エチレン)ペンタミン、トリ-(トリメチレン)テトラミン、および1,2-プロピレンジアミンである。ヒドロキシアルキル置換ポリアミン類の特定の例は、N-(2-ヒドロキシエチル)エチレンジアミン、N,N'-ビス-(2-ヒドロキシエチル)エチレンジアミン、N-(3-ヒドロキシブチル)テトラメチレンジアミン等である。複素環置換ポリアミン類(2)の特定の例は、N-2-アミノエチルピペラジン、N-2およびN-3アミノプロピルモルホリン、N-3-(ジメチルアミノ)プロピルピペラジン、2-ヘプチル-3-(2-アミノプロピル)イミダゾリン、1,4-ビス(2-アミノエチル)ピペラジン、1-(2-ヒドロキシエチル)ピペラジン、および2-ヘプタデシル-1-(2-ヒドロキシエチル)イミダゾリン等である。芳香族ポリアミン類(3)の特定の例は、各種異性体フェニレンジアミン類、各種異性体ナフタレンジアミン類等である。
米国特許第3,172,892号、第3,219,666号、第3,272,746号、第3,310,492号、第3,341,542号、第3,444,170号、第3,455,831号、第3,455,832号、第3,576,743号、第3,630,904号、第3,632,511号、第3,804,763号および第4,234,435号；並びにヨーロッパ特許出願EP 0 336 664号およびEP 0 263 703号のような多くの特許が有用なアシル化窒素化合物を記載している。これらの群の典型的で好ましい化合物は、ポリ(イソブチレン)置換無水コハク酸アシル化剤(例えば、無水物、酸、エステル等) (そのポリ(イソブチレン)置換基は約50〜約400個の炭素原子を有する)を3〜約7個のアミノ窒素原子をエチレンポリアミン当り有し且つ約1〜約6個のエチレン基を有するエチレンポリアミン混合物と反応させることによって調製した化合物である。このタイプのアシル化アミノ化合物の広範な開示に照らして、その性質および調製方法のさらなる説明は、本明細書においては必要ではない。上記の各米国特許は、アシル化アミノ化合物およびその調製方法の開示として利用する。
【００２８】
また、好ましい物質としては、分子当り7個および8個、場合によっては9個の窒素原子を有するポリアミン類(いわゆる‘重質’ポリアミン類)を含むアミン混合物から調製された物質がある。
さらに好ましくは、上記ポリアミン混合物は、ポリアミン類の総質量基準で、分子当り7個の窒素原子を有するポリアミン類を少なくとも45質量％、好ましくは50質量％含む。
ポリアミン成分(ii)は、分子当り、好ましくは4〜8.5個、より好ましくは6.8〜8個、とりわけ6.8〜7.5個範囲の窒素であり得る成分ii)の分子当りの平均窒素原子数によって定義し得る。窒素数は、生成物の付着制御を提供する能力に影響を与えているようである。
この群に属するもう1つのタイプのアシル化窒素化合物は、上述のアルキレンアミン類を上述の置換コハク酸または無水コハク酸および2〜約22個の炭素原子を有する脂肪族モノカルボン酸と反応させることによって調製した化合物である。これらのタイプのアシル化窒素化合物においては、コハク酸対モノカルボン酸のモル比は、1：1のような約1：0.1〜約0.1：1の範囲にある。モノカルボン酸の典型は、ギ酸、酢酸、ドデカン酸、ブタン酸、オレイン酸、ステアリン酸、イソステアリン酸として知られるステアリン酸異性体の市販混合物、トリル酸等である。そのような物質は、米国特許第3,216,936号および第3,250,715号により詳細に記載されている。
【００２９】
さらにもう1つのタイプのアシル化窒素化合物は、約12〜30個の炭素原子を有する脂肪モノカルボン酸と上述のアルキレンアミン類、典型的には、2〜8個のアミノ基を含有するエチレン-、プロピレン-もしくはトリメチレンポリアミン類またはこれらの混合物との反応生成物である。脂肪モノカルボン酸は、概して、12〜30個の炭素原子を含有する直鎖および枝分れ鎖脂肪カルボン酸の混合物である。広範囲に使用されるタイプのアシル化用窒素化合物は、上述のアルキレンポリアミン類を5〜約30モル%の直鎖脂肪酸と約70〜95モル%の枝分れ鎖脂肪酸を含む脂肪酸混合物と反応させることによって調製する。商業的に入手し得る混合物においては、イソステアリン酸としての商品名で広範に知られている混合物がある。これらの混合物は、米国特許第2,812,342号および第3,260,671号に記載されているような不飽和脂肪酸の二量化からの副生成物として調製する。
好ましいアシル化窒素無灰分清浄剤化合物は、ポリ(イソブテン)置換無水コハク酸アシル化剤を上述したようなエチレンポリアミン混合物と反応させることによって調製され、そのポリイソブテンが約400〜2500、好ましくは約950のような700〜400のMnを有する化合物である。
【００３０】
ディーゼルタイプ圧縮点火エンジンにおいて使用するのに適する沸点範囲および粘度を有する任意の燃料を本発明において使用できる。
そのような燃料油としては、軽(灯油またはジェット燃料)留分から重燃料油留分までの留分として原油精製において得ることのできる石油系燃料油を称する“中留出物”燃料油がある。これらの燃料油は、大気圧または真空留出物、分解ガス油、または直留および熱および/または接触分解留出物の任意の割合の混合物も含み得る。例としては、灯油、ジェット燃料、ディーゼル燃料、加熱用オイル、ビスブレーキングガス油、軽循環油および真空ガス油がある。そのような中留出物燃料油は、ASTM D86に従って測定したとき、通常、一般に100℃〜500℃の範囲、とりわけ150℃〜400℃の温度範囲で沸騰する。ディーゼル燃料は、ASTM D 2622-87によって測定したとき、好ましくは0.1質量％未満のイオウ、より好ましくは0.05質量％未満のイオウを含む。
【００３１】
好ましい植物系燃料油は、モノカルボン酸類、例えば、10〜25個の炭素原子を含有する酸類のトリグリセリドであり、下記に示す一般式を典型的に有する：
【化５】
0004447232.tif 000005
（式中、Rは、飽和または不飽和であり得る10〜25個の炭素原子を有する脂肪族基である）。
一般に、そのようなオイルは、多数の酸のグリセリドを含有し、その数およびタイプはそのオイルの植物源によって変化する。
また、適切な燃料油としては、1〜50質量％の植物油またはタル油(tall oil)脂肪酸脂肪酸のような脂肪酸のメチルエステルの石油系ディーゼル燃料油との混合物もある。また、適切な界面活性剤と海上ディーゼルエンジンにおいて使用した残留燃料油を含有する水とアルコール類でエマルジョン化した燃料も適している。
油類の例は、タル油、ナタネ油、コリアンダー油、大豆油、綿実油、ひまわり油、ひまし油、オリーブ油、ピーナツ油、トウモロコシ油、アーモンド油、パーム核油、ココナツ油、カラシ実油、牛脂および魚油である。ナタネ油は、グリセリンと部分的にエステル化した脂肪酸の混合物であり、大量に入手でき、押圧による簡単な方法で菜種から取得できるので、好ましい。
【００３２】
植物系燃料油のさらなる好ましい例は、植物または動物油の脂肪酸のメチルエステルのようなアルキルエステル類である。そのようなエステル類は、エステル交換によって製造することができる。
脂肪酸の低級アルキルエステル類としては、例えば、商業的混合物として次のものが考えられる：12〜22個の炭素原子を有する脂肪酸、例えば、ラウリン酸、ミリスチン酸、パルミチン酸、パルミトオレイン酸、ステアリン酸、オレイン酸、エライジン酸、ペトロセリン酸(petroselic acid)、リシノール酸、オリーブ油ステアリン酸、リノール酸、リノレン酸、エイコサン酸、ガドール酸(gadoleic acid)、ドコサン酸(docosanoic acid)またはエルカ酸(これらは、50〜150、とりわけ90〜125のヨウ素価を有する)のエチル-、プロピル-、ブチル-、とりわけメチルエステル類。特に有益な特性を有する混合物は、主として、即ち、少なくとも50質量％の16〜22個の炭素原子を有する脂肪酸のメチルエステルと1個、2個または3個の二重結合を含有する混合物である。好ましい脂肪酸の低級アルキルエステルは、オレイン酸、リノール酸、リノレン酸およびエルカ酸のメチルエステルである。
上述した種類の商業的混合物は、例えば、天然油脂類の低級脂肪族アルコール類とのエステル交換による開裂およびエステル化によって得られている。脂肪酸の低級アルキルエステル類の製造においては、例えば、ひまわり油、ナタネ油、コリアンダー油、ひまし油、大豆油、綿実油、ピーナツ油または牛脂のような高ヨウ素価を有する油脂類から出発するのが有利である。脂肪酸成分が18個の炭素原子を有する不飽和脂肪酸から80質量％以上誘導される新たな種類のナタネ油系の脂肪酸の低級アルキルエステルが好ましい。
植物系燃料油として最も好ましいのは、ナタネメチルエステルである。
【００３３】
本発明のディーゼル燃料組成物は、当業者にとって周知の他の添加剤類を含有し得る。これらの添加剤としては、染料、セタン改良剤、アルキル化コハク酸および無水コハク酸のような錆抑制剤、静菌剤、ガム抑制剤、金属不活化剤、解乳化剤、上部シリンダー潤滑剤、氷結防止剤および酸化防止剤がある。
本発明の金属添加剤は、低イオウ燃料において現在一般的に使用されている各種潤滑添加剤と組合せても使用し得る。そのような潤滑添加剤としては、グリセリンモノオレートのようなC2〜C50カルボン酸の1価または多価アルコールのエステル類、多塩基酸のC1〜C5の1価アルコール類とのエステル類、二量化カルボン酸のエステル類、ポリカルボン酸類と1,2-エポキシエタンおよび1,2-エポキシプロパンのようなエポキシド類との反応生成物、および植物油脂肪酸メチルエステル類のような脂肪酸から誘導された潤滑添加剤がある。
さらなる例は、上述のC2〜C50カルボン酸のエステル類を、ポリイソブテニル(C80〜C500)無水コハク酸の3〜7個のアミノ窒素原子を有するエチレンポリアミン類との反応生成物のような、アシル化剤をアミノ化合物と反応させることによって調製した少なくとも10個の炭素原子を含むヒドロカルビル置換基を有するアシル化窒素化合物を含む無灰分清浄剤と混合して調製した潤滑添加剤である。
【００３４】
他の潤滑添加剤は、上述のエステル類と、エチレンから誘導された単位以外に下記の式の単位を有するエチレン不飽和エステルコポリマーとの組合せである：
-CR1R2-CHR3-
（式中、R1は水素またはメチルを示し；R2はCOOR4を示し、R4は直鎖または枝分れ(R4が2個以上の炭素原子を含有する場合)の1〜9個の炭素原子を有するアルキル基を示し、或いはR2はOOCR5を示し、R5はR4またはHを示し；R3はHまたはCOOR4を示す）。
例としては、エチレン-酢酸ビニル、エチレン-プロピオン酸ビニルおよび5〜40%のビニルエステルが存在する他のコポリマーがある。
上述のエステル類の代替物として、或いは上述のエステル類と併用するものとして、潤滑添加剤は、上記エステル潤滑添加剤に関して開示したタイプの1種以上のカルボン酸類を含む。そのような酸は、飽和または不飽和の直鎖または枝分れモノ-またはポリカルボン酸であり得、式R1(COOH)x (xは1〜4であり、R1はC2〜C50ヒドロカルビルである)によって包括され得る。例としては、カプリン酸、ラウリン酸、ミルスチン酸、パルミチン酸、オレイン酸、エライジン酸、パルミトオレイン酸、ペタオセリン(petaolic)酸、リシノール酸、リノール酸、リノレン酸、エイコサン酸、タル油脂肪酸および脱水素ひまし油脂肪酸がある。ポリカルボン酸は、リノール酸またはオレイン酸のような不飽和脂肪酸の二量化によって生成させたダイマーのようなダイマー酸であり得る。
【００３５】
他の潤滑添加剤は、下記の式のヒドロキシアミン類である：
【化６】
0004447232.tif 000006
（式中、R1は、1個以上の二重結合またはアルキル基を有し且つ4〜50個の炭素原子を含有するアルケニル基、または下記の式：
【化７】
0004447232.tif 000007
の基を示し；R2、R3、R4、R5、R6およびR7の各々は、個々に、水素または低級アルキル基を示し；R8は、1個以上の二重結合またはアルキル基を有し且つ4〜50個の炭素原子を含有するアルケニル基を示し；R9は、2〜35個、例えば、2〜6個の炭素原子を含有するアルキレン基を示し；p、qおよびvの各々は、1〜4の整数であり；a、bおよびcの各々は、0であり得るが、a、bまたはcの少なくとも1つは1〜75の整数である）。
また、本発明の添加剤は、シロキサンブロックコポリマーのようなシリコン含有発泡防止剤または硝酸2-エチルヘキシルのようなセタン改良剤のようなディーゼル性能添加剤と組合せても使用できる：
本発明の添加剤は、下記のような寒冷流動添加剤と組合せても使用できる：
線状ジエンの末端-末端重合によって得ることのできる少なくとも１つの結晶化性ブロックと、少なくとも１つの非結晶化性ブロック(この非結晶化性ブロックは、線状ジエンの1,2-配置重合、枝分れジエンの重合またはそのような重合の混合によって得ることができる)を含む油溶性水素化ブロックジエンポリマー；または、下記の(A)〜(F)に示す他の寒冷流動改良剤。
【００３６】
(A) エチレン不飽和エステルコポリマー、とりわけ、エチレンから誘導された単位以外に下記の式の単位を有するコポリマー：
-CR3R4-CHR5-
（式中、R3は水素またはメチルを示し；R4はCOOR6を示し、R6は直鎖または枝分れ(R6が3個以上の炭素原子を含有する場合)の1〜9個の炭素原子を有するアルキル基を示し、或いはR4はOOCR7を示し、R7はR6またはHを示し；R5はHまたはCOOR6を示す）。
これらのコポリマーは、エチレンとエチレン系不飽和エステルまたはその誘導体とのコポリマーを含み得る。1つの例は、エチレンと、飽和アルコールと不飽和カルボン酸のエステルとのコポリマーであるが、好ましくは、そのエステルは、不飽和アルコールと飽和カルボン酸とのエステルである。エチレン-ビニルエステルコポリマーが有益である；エチレン-酢酸ビニル、エチレン-プロピオン酸ビニル、エチレン-ヘキサン酸ビニルまたはエチレン-オクタン酸ビニルのコポリマーが好ましい。
米国特許第3,961,916号に開示されているように、流動改良剤組成物は、ワックス生長抑制剤と核形成剤を含み得る。理論によって拘束することは望まないが、出願人等は、本発明の添加剤組成物の成分(i)が主として核形成剤として作用し、抑制剤の存在による利益を得るものと信じている。この核形成剤は、例えば、上述したようなエチレン-不飽和エステル、とりわけ、最大14000、有利には最大10000、好ましくは2000〜6000、より好ましくは2000〜5500の分子量(ポリスチレン標準に対してのゲル透過クロマトグラフィーにより測定したMn)および7.5〜35モル%、好ましくは10〜20モル%、より好ましくは10〜17モル%のエステル含有量を有するEVACであり得る。
本発明の範囲には、さらなる核形成剤、例えば、1200〜20000範囲の数平均分子量および0.3〜10モル%、有利には3.5〜7.0モル%のビニルエステル含有量を有するエチレン-不飽和エステル(とりわけ酢酸ビニル)コポリマーも含まれる。
【００３７】
(B) コームポリマー
そのようなポリマーは、ヒドロカルビル基を含有する分岐がポリマー主鎖からペンダントしているポリマー類であり、"Comb-Like Polymers. Structutre and Properties", N.A. Plate and V.P. Shibaev, J. Poly. Sci. Macromolecular Revs., 8, p 117 to 253 (1974)に説明されている。
一般に、コームポリマーは、ポリマー主鎖からペンダントした1つ以上の長鎖ヒドロカルビル分岐、例えば、10〜30個の炭素原子を通常有するオキシヒドロカルビル分岐を有し、これらの分岐はポリマー主鎖に直接または間接的に結合している。間接結合の例は挿入原子または基を介しての結合であり、その結合は、共有結合および/または塩におけるようなイオン価結合を含み得る。
上記コームポリマーは、少なくとも6個、好ましくは少なくとも10個の原子を含有する側鎖を有する単位を、有利には少なくとも25モル%、好ましくは40モル%、より好ましくは少なくとも50モル%含むホモポリマーまたはコポリマーである。
【００３８】
好ましいコームポリマーの例としては、下記の式のポリマーを挙げることができる：
【化８】
0004447232.tif 000008
（式中、D = R11、COO R11、OCOR11、R12COO R11、またはO R11；
E = H、CH3、D、またはR12；
G = HまたはD；
J = H、R12、R12COO R11、またはアリールもしくは複素環基；
K = H、COO R12、OCO R12、OR12、またはCOOH；
L = H、R12、COO R12、OCOR12、COOH、またはアリール；
R11 ≧ C10ヒドロカルビル；
R12 ≧ C1ヒドロカルビルまたはヒドロカルビレン；
であり；mおよびnはモル画分を示し、mは有限であり好ましくは1.0〜0.4の範囲内であり、nは1未満好ましくは0〜0.6の範囲内である）。
R11は、有利には、10〜30個の炭素原子を有するヒドロカルビル基を示し、また、R12は、有利には、1〜30個の炭素原子を有するヒドロカルビルまたはヒドロカルビレン基を示す。
上記コームポリマーは、所望または必要に応じて、他のモノマーから誘導された単位を含有し得る。
これらのコームポリマー類は、無水マレイン酸、フマル酸またはイタコン酸と他のエチレン系不飽和モノマー、例えば、スチレンのようなα-オレフィンまたは不飽和エステル、例えば、酢酸ビニルとのコポリマー；またはフマル酸またはイタコン酸のホモポリマーであり得る。本質的ではないが、等モル量のコモノマーを使用するのが好ましいが、2対1および1対2範囲のモル割合が適している。例えば無水マレイン酸と共重合させ得るオレフィン類の例としては、1-デセン、1-ドデセン、1-テトラデセン、1-ヘキサデセンおよび1-オクタデセンがある。
【００３９】
上記コームポリマーの酸または無水物基は任意の適切な方法でエステル化し得、無水マレイン酸またはフマル酸を少なくとも50%エステル化することは好ましいが、本質的ではない。使用できるアルコール類の例としては、n-デカン-1-オール、n-ドデカン-1-オール、n-テトラデカン-1-オール、n-ヘキサデカン-1-オール、およびn-オクタデカン-1-オールがある。アルコール類は、鎖当り1個までのメチル分岐も含み得、例えば、1-メチルペンタデカン-1-オールまたは2-メチルトリデカン-1-オールがある。アルコールは、直鎖アルコールと1個のメチル枝分れアルコールの混合物であり得る。
商業的に入手可能なアルコール混合物よりはむしろ純粋アルコールを使用するのが好ましいが、混合物を使用する場合、上記のR12はアルキル基中の平均炭素原子数を示す；1または2位置に分岐を含有するアルコール類を使用する場合には、R12はアルコールの直鎖の主鎖セグメントを示す。
これらのコームポリマー類は、とりわけ、フマレートまたはイタコネートポリマー、および、例えば、EP-A-153176号、EP-A-153177号、EP-A-225688号、およびWO 91/16407号に記載されているようなコポリマーであり得る。
【００４０】
とりわけ好ましいフマレートコームポリマーは、例えば、フマル酸と酢酸ビニルの等モル混合物を溶液共重合させ、得られるコポリマーを好ましくは直鎖アルコールであるアルコールまたはアルコール混合物と反応させることによって調製したアルキル基が12〜20個の炭素原子を有するアルキルフマレートと酢酸ビニルのコポリマー、とりわけアルキル基が14個の炭素原子を有する或いはアルキル基がC14/C16アルキル基の混合物であるポリマーである。混合物を使用する場合、その混合物は、有利には、直鎖のC14とC16アルコールの質量で1：1の混合物である。さらにまた、C14エステルと混合C14/C16エステルとの混合物も有利に使用できる。そのような混合物においては、C14対C14/C16の比は、質量で、有利には1：1〜4：1、好ましくは2：1〜7：1、最も好ましくは約3：1の範囲である。とりわけ好ましいコームポリマーは、蒸気相浸透圧法で測定したとき、1,000〜100,000、とりわけ1,000〜30,000の数平均分子量を有するポリマーである。
他の適切なコームポリマー類は、α-オレフィン類のポリマーおよびコポリマー、スチレンと無水マレイン酸のエステル化コポリマー、およびスチレンとフマル酸のエステル化コポリマーである；2種以上のコームポリマーの混合物も本発明に従って使用でき、上述したように、そのような使用は有利であり得る。コームポリマー類の他の例は、炭化水素ポリマー類、例えば、エチレンと少なくとも1種のα-オレフィン(α-オレフィンは、好ましくは、最大20個の炭素原子を有し、例えば、n-デセン-1およびn-ドデセン-1である)とのコポリマー類である。好ましくは、そのようなコポリマーの数平均分子量は、GPCにより測定して、少なくとも30,000である。これらの炭化水素コポリマー類は、当該技術における公知の方法によって、例えば、チーグラータイプの触媒を使用して調製することができる。
【００４１】
(C) 極性窒素化合物
そのような化合物は、式 >NR13を有する1個以上、好ましくは2個以上の置換基を担持する油溶性極性窒素化合物であり、R13は8〜40個の原子を含有するヒドロカルビル基を示し、その置換基または1個以上の置換基はそれから誘導されたカチオンの形であり得る。この油溶性極性窒素化合物は、概して、燃料中で、ワックス結晶生長抑制剤として作用し得る化合物である。この化合物は、例えば、1種以上の下記の化合物を含む：
少なくとも1モル割合のヒドロカルビル置換アミンを1モル割合の1〜4個のカルボン酸基を有するヒドロカルビル酸またはその無水物と反応させることによって調製したアミン塩および/またはアミド；式 >N R13の置換基は式 -NR13R14であり、R13は上記で定義したとおりであり、R14は水素またはR13を示すが、R13およびR14は同一または異なるものであり得、これらの置換基は上記化合物のアミン塩および/またはアミド基の1部を構成する。
30〜300個、好ましくは50〜150個の総炭素原子数を有するエステル/アミド類も使用し得る。これらの窒素化合物は、米国特許第4,211,534号に記載されている。適切なアミン類は、主として、C12〜C40の第1級、第2級、第3級もしくは第4級アミン類またはこれらの混合物であるが、より短鎖のアミン類も、得られる窒素化合物が油溶性であり、通常、約30〜300個の総炭素原子数を有する限り、使用できる。窒素化合物は、好ましくは、少なくとも1つの直鎖のC8〜C40、好ましくはC14〜C24アルキルセグメントを含有する。
【００４２】
適切なアミン類としては、第1級、第2級、第3級または第4級アミンがあるが、好ましくは第2級アミンである。第3級および第4級アミンのみがアミン塩を形成する。アミン類の例としては、テトラデシルアミン、ココアミンおよび水素化牛脂アミンがある。第2級アミンの例としては、ジオクタセジル(dioctacedyl)アミンおよびメチルベヘニルアミンがある。天然物質から誘導されたもののようなアミン混合物も適している。好ましいアミンは第2級水素化牛脂アミンであり、そのアルキル基は、約4%のC14、31%のC16および59%のC18からなる水素化牛脂から誘導されている。
上記窒素化合物を調製するのに適するカルボン酸類およびその無水物の例としては、エチレンジアミンテトラ酢酸、並びに環状骨格系のカルボン酸類、例えば、シクロへキサン-1,2-ジカルボン酸、シクロヘキセン-1,2-ジカルボン酸、シクロペンタン-1,2-ジカルボン酸、ナフタレンジカルボン酸、およびジアルキルスピロビスラクトンのような1,4-ジカルボン酸類がある。一般にこれらの酸は、環状成分内に約5〜13個の炭素原子を有する。本発明において有用な好ましい酸類は、ベンゼンジカルボン酸類、例えば、フタル酸、イソフタル酸およびテレフタル酸である。フタル酸およびその無水物がとりわけ好ましい。とりわけ好ましい化合物は、1モル部の無水フタル酸を2モル部のジ水素化牛脂アミンと反応させることによって調製したアミド-アミン塩である。もう1つの好ましい化合物は、このアミド-アミン塩を脱水素させて調製したジアミドである。
他の例は、置換コハク酸のモノアミドのアミン塩のような長鎖アルキルまたはアルキレン置換ジカルボン酸誘導体であり、これらの例は、当該技術において公知であり、例えば、米国特許第4,147,520号に記載されている。適切なアミン類は、上述したアミン類であり得る。
他の例は、縮合物、例えば、EP-A-327427号に記載されている縮合物である。
【００４３】
(D) 環状系上に下記の一般式の少なくとも2個の置換基を担持する環状系を含有する化合物：
-A-NR15R16
上記式中、Aは、必要に応じて1個以上のヘテロ原子によって遮断された線状または枝分れ鎖脂肪族ヒドロカルビレン基であり；R15およびR16は、同一または異なるものであり、各々個々に、必要に応じて1個以上のヘテロ原子によって遮断された9〜40個の原子を含有するヒドロカルビル基であり、各置換基は同一または異なるものであり、その化合物は必要に応じてその塩の形にある。有利には、Aは、1〜20個の炭素原子を有し、好ましくはメチレンまたはポリメチレン基である。そのような化合物は、WO 93/04148号に記載されている。
【００４４】
(E) 炭化水素ポリマー
適切な炭化水素ポリマー類の例は、下記の一般式のポリマー類である：
【化９】
0004447232.tif 000009
（式中、T = HまたはR21であり、R21 = C1〜C40ヒドロカルビルであり、U = H、Tまたはアリールであり、vおよびwはモル画分を示し、vは1.0〜0.0の範囲にあり、wは0.0〜1.0の範囲にある）。
炭化水素ポリマー類の例は、WO 91/11488号に記載されている。
好ましいコポリマーは、少なくとも30,000の数平均分子量を有するエチレンα-オレフィンコポリマーである。好ましくは、α-オレフィンは、少なくとも28個の炭素原子を有する。そのようなオレフィン類の例は、プロピレン、1-ブテン、イソブテン、n-オクテン-1、イソオクテン-1、n-デセン-1、およびn-ドデセン-1である。また、コポリマーは、少量の、例えば、10質量％までの他の共重合性モノマー、例えば、α-オレフィン以外のオレフィン類および非共役ジエン類も含み得る。好ましいコポリマーは、エチレン-プロピレンコポリマーである。
エチレン α-オレフィンコポリマーの数平均分子量は、上述したように、ポリスチレン標準に対してゲル透過クロマトグラフィー(GPL)で測定したとき、少なくとも30,000、有利には少なくとも60,000、好ましくは少なくとも80,000である。機能的には上限がないが、混合の困難性が約150,000以上の分子量における粘度増大から生ずる。好ましい分子量範囲は、60,000および80,000から120,000までの範囲である。
【００４５】
有利には、上記コポリマーは、50〜85%のモルエチレン含有量を有する。より有利には、エチレン含有量は57〜80%の範囲にあり、エチレン含有量は、好ましくは58〜73%、より好ましくは62〜71%、最も好ましくは65〜70%の範囲にある。
好ましいエチレン-α-オレフィンコポリマーは、62〜71モル%のエチレン含有量と60,000〜120,000範囲の数平均分子量を有するエチレンプロピレンコポリマーである；とりわけ好ましいコポリマーは、62〜71%のエチレン含有量と80,000〜100,000の分子量を有するエチレン-プロピレンコポリマーである。
これらのコポリマーは、当該技術における公知の任意の方法により、例えば、チーグラータイプの触媒を使用して調製することができる。これらのポリマー類は、高結晶性ポリマーが低温で燃料油中に比較的不溶性であるので、実質的に非晶質であるべきである。
他の適切な炭化水素ポリマー類としては、蒸気相浸透圧法で測定したとき、最大7500、有利には1,000〜6,000、好ましくは2,000〜5,000の数平均分子量を有する低分子量エチレン-α-オレフィンコポリマーがある。適切なα-オレフィンは、上述したようなものまたはスチレンであるが、ここでも、プロピレンが好ましい。有利には、そのエチレン含有量は60〜77モル%であるが、エチレン-プロピレンコポリマーにおいては、86モル%までのエチレンも有益に使用できる。
【００４６】
(F) ポリアルキレン化合物
その例は、ポリオキシアルキレンエステル類、エーテル類、エステル/エーテル類およびこれらの混合物、とりわけ、少なくとも1個、好ましくは少なくとも2個のC10〜C30線状アルキル基と5,000まで、好ましくは200〜5,000の分子量を有するポリオキシアルキレングリコール基と含み、このポリオキシアルキレングリコール中のアルキル基は1〜4個の炭素原子を含有する化合物である。これらの物質は、EP-A-0061895号の要旨を構成している。他のそのような添加剤は、米国特許第4,491,455号に記載されている。
好ましいエステル類、エーテル類またはエステル/エーテル類は、下記の一般式を有するものである：
R31-O(D)-O-R32
上記式中、R31およびR32は、同一または異なるものであり得、(a) n-アルキル-、(b) n-アルキル-CO-、(c) n-アルキル-O-CO(CH2)x-、または(d) n-アルキル-O-CO(CH2)x-CO-を示し；ｘは、例えば、1〜30であり；上記アルキル基は、線状であって、10〜30個の炭素原子を含有し；Dは、実質的に線状であるポリオキシメチレン、ポリオキシエチレンまたはポリオキシトリメチレン成分のようなアルキレン基が1〜4個の炭素原子を有する上記グリコールのポリアルキレンセグメントを示し、ある程度の低級アルキル側鎖による分岐(ポリオキシプロピレングリコールにおけるように)が存在し得るが、当該グリコールは実質的に線状であることが好ましい。Dは、窒素も含有し得る。
【００４７】
適切なグリコール類の例は、100〜5,000、好ましくは200〜2,000の分子量を有する実質的に線状のポリエチレングリコール(PEG)およびポリプロピレングリコール(PPG)である。エステル類も好ましく、10〜30個の炭素原子を含有する脂肪酸が上記グリコール類と反応させてエステル添加剤を調製するのに有用である。C18〜C24脂肪酸、とりわけベヘン酸を使用するのが好ましい。これらのエステル類は、ポリエトキシ化脂肪酸またはポリエトキシ化アルコールをエステル化することによっても調製できる。
ポリオキシアルキレンジエステル類、ジエーテル類、エーテル/エステル類およびこれらの混合物は、添加剤として適しており、ジエステル類は、少量のモノエーテル類およびモノエステル類(これらは、製造工程中にしばしば形成される)も存在するときに、狭い沸騰範囲の留出物において使用するのが好ましい。好ましいのは、多量のジアルキル化合物を存在させることである。とりわけ、ポリエチレングリコール、ポリプロピレングリコールまたはポリエチレン/ポリプロピレングリコール混合物のステアリン酸またはベヘン酸ジエステルは、好ましい。
ポリオキシアルキレン化合物の他の例は、日本特許公報第2-51477号および第3-34790号に記載されている化合物、並びにEP-A-117108号およびEP-A-326356号に記載されているエステル化アルコキシ化アミン類である。
【００４８】
（発明を実施するための最良の形態）
実施例
500 ppm未満のイオウを含有する低イオウディーゼル燃料を、セラミックディーゼル粒状物排気トラップを備えたフォード(Ford)2.5リットルディーゼルエンジンにおいて試験した。添加剤無し(ベース燃料)、中性スルホン酸カルシウムからの5 ppmのカルシウム含有(燃料A)、200 ppmのMn 950ポリイソブテニルスクシンイミド含有(活性成分の55質量％溶液として使用) (燃料B)、1000 ppmの上記と同じスクシンイミド含有(燃料C)および上記と同じスルホン酸塩からの5 ppmのカルシウムと200 ppmの上記と同じスクシンイミドの混合物含有(燃料D)の各燃料を450℃(トラップ前の排気温度)で試験した。各ディーゼル排気逆圧をミリバールにて測定し、下記の表1に各燃料について数時間に亘って示している。燃料D、即ち、本発明の燃料は、逆圧低下および粒状物トラップ機能における有意の改善を明らかに示している。逆圧増大の制御は、燃料消費における正の効果を有し、それによってトラップの寿命を延長させる。
【表１】
表1：逆圧(ミリバール)
0004447232.tif 000010